(57)【要約】【課題】表示部により表示されたコンテンツを雛型として、新たなオリジナルコンテンツを容易に作成することのできるヘッドマウントディスプレイを提供すること。【解決手段】コンテンツ情報に応じた画像光をユーザの眼に入射させ、当該ユーザに前記画像光に応じた画像を視認させる表示手段を備えたヘッドマウントディスプレイにおいて、撮像手段と、前記コンテンツ情報を記憶する記憶手段と、前記コンテンツ情報に含まれる関連付け情報に従って前記撮像手段で撮像した画像のデータを前記コンテンツ情報に関連付けて前記記憶手段に記憶する記憶制御手段と、を備えた構成とした。【選択図】図７
2010213214.tif 000002
【特許請求の範囲】
【請求項１】
コンテンツ情報に応じた画像光をユーザの眼に入射させ、当該ユーザに前記画像光に応じた画像を視認させる表示手段を備えたヘッドマウントディスプレイにおいて、
撮像手段と、
前記コンテンツ情報を記憶する記憶手段と、
前記コンテンツ情報に含まれる関連付け情報に従って前記撮像手段で撮像した画像のデータを前記コンテンツ情報に関連付けて前記記憶手段に記憶する記憶制御手段と、を備えたことを特徴とするヘッドマウントディスプレイ。
【請求項２】
前記関連付け情報に前記撮像手段による撮像位置の条件が含まれているか否かを判定する条件有無判定手段と、
前記撮像手段による撮像位置を特定する情報を検出する検出手段と、
前記検出手段による検出結果に基づいて前記撮像手段による撮像位置が前記撮像位置の条件を満たすか否かを判定する条件充足判定手段と、を備え、
前記記憶制御手段は、前記条件充足判定手段により条件を満たすと判定されたときに撮像された画像のデータを前記コンテンツ情報に関連付けて前記記憶手段に記憶することを特徴とする請求項１に記載のヘッドマウントディスプレイ。
【請求項３】
前記検出手段は、現在位置の緯度及び経度の情報を前記撮像位置を特定する情報として検出する位置検出手段を含むことを特徴とする請求項２に記載のヘッドマウントディスプレイ。
【請求項４】
前記検出手段は、無線タグ情報を前記撮像位置を特定する情報として検出するタグリーダを含むことを特徴とする請求項２に記載のヘッドマウントディスプレイ。
【請求項５】
前記検出手段は、前記撮像手段で撮像された画像に所定画像が含まれているときに、当該画像を前記撮像位置を特定する情報として検出することを特徴とする請求項２に記載のヘッドマウントディスプレイ。
【請求項６】
前記撮像手段はユーザの視野範囲を撮像するものであり、さらに、
ユーザの視線方向を検出する視線方向検出手段と、
前記視線方向検出手段による検出結果に応じて、前記撮像手段によりユーザの視野範囲の撮像を行わせる撮像制御手段と、を備えたことを特徴とする請求項１〜５のいずれか１項に記載のヘッドマウントディスプレイ。
【請求項７】
前記撮像手段により撮像されて前記コンテンツ情報に関連付けられた画像を、当該コンテンツ情報に応じた画像と合成して前記表示手段により表示させる表示制御手段を備えたことを特徴とする請求項１〜６のいずれか１項に記載のヘッドマウントディスプレイ。
【請求項８】
前記表示手段は、ユーザに前記画像光に応じた画像を外景と重ねて視認させるシースルー型であることを特徴とする請求項１〜７のいずれか１項に記載のヘッドマウントディスプレイ。
【発明の詳細な説明】
【技術分野】
【０００１】
本発明は、ヘッドマウントディスプレイに関する。
【背景技術】
【０００２】
従来、コンテンツ情報に応じた画像光をユーザの眼に入射させ、当該ユーザに前記画像光に応じた画像を視認させる表示手段を備えたヘッドマウントディスプレイ（以下、「ＨＭＤ：Head Mount Display」という。）が知られている。
【０００３】
かかるＨＭＤについては様々な使用形態が考えられるが、例えばこれを旅行に携行し、表示手段により旅行ガイドなどのコンテンツを表示させて、その案内にしたがって旅を楽しむなどの使用形態が考えられる。
【０００４】
他方、旅行者の心情として、旅の記録を写真やビデオで残しておきたいと思うのは当然であり、特に、旅行ガイドに画像などで紹介されている名所や観光スポットなどは、写真やビデオを自身で撮影して残しておきたくなるのはごく自然である。
【０００５】
そこで、旅行ガイドにしたがって訪れた先々で撮像することができれば、旅行ガイドを模したオリジナルの旅行アルバムの作成が可能となる。
【０００６】
カメラはユーザが別途携行すればよいが、ＨＭＤの中には、例えば特許文献１をはじめとして、ユーザの視線方向等にあるものを撮像する小型カメラを備えたものも多数提案されている。
【０００７】
かかる小型カメラで撮像された画像は、ＨＭＤの表示手段により眼前に表示することも可能であるため、ユーザは撮像直後の画像やビデオ映像をその場で確認することができる。したがって、作成予定の旅行アルバムのイメージも掴みやすく便利である。
【先行技術文献】
【特許文献】
【０００８】
【特許文献１】特開２００６−１３９１２４号公報
【発明の概要】
【発明が解決しようとする課題】
【０００９】
しかしながら、たとえカメラを備えたＨＭＤを用いたとしても、実際に旅行アルバムを作成する段になると、自身で撮像した画像やビデオ映像と、コンテンツとして表示された旅行ガイドに掲載されている画像と、を上手く関連付けることは容易ではない。
【００１０】
すなわち、自身で撮像した画像やビデオ映像の内容を、旅行ガイドの画像内容に関連しているか否かをいちいち確認しなければならず、しかも、関連した画像などを、コンテンツである旅行ガイドを下敷きにしながらワークシートなどに順序よく貼り付けていく作業は、専用のアプリケーションソフトなどを使ったとしても手間がかかるものである。
【００１１】
そこで、市場からは、コンテンツとなる旅行ガイドをそのまま雛型のように取り扱うことができ、誰でもが容易に旅行アルバムなどを作成できるＨＭＤの提供が望まれている。
【００１２】
なお、このようなＨＭＤは、旅行アルバム作成のみならず、例えば所定の順番で所定の場所や指定対象物の撮像画像を貼り付けて報告書などを作成する場合にも有用であり、市場のニーズに合致すると考えられる。
【課題を解決するための手段】
【００１３】
上記目的を達成するために、請求項１に記載の発明は、コンテンツ情報に応じた画像光をユーザの眼に入射させ、当該ユーザに前記画像光に応じた画像を視認させる表示手段を備えたヘッドマウントディスプレイにおいて、撮像手段と、前記コンテンツ情報を記憶する記憶手段と、前記コンテンツ情報に含まれる関連付け情報に従って前記撮像手段で撮像した画像のデータを前記コンテンツ情報に関連付けて前記記憶手段に記憶する記憶制御手段と、を備える構成とした。
【００１４】
また、請求項２に記載の発明は、請求項１に記載のヘッドマウントディスプレイにおいて、前記関連付け情報に前記撮像手段による撮像位置の条件が含まれているか否かを判定する条件有無判定手段と、前記撮像手段による撮像位置を特定する情報を検出する検出手段と、前記検出手段による検出結果に基づいて前記撮像手段による撮像位置が前記撮像位置の条件を満たすか否かを判定する条件充足判定手段と、を備え、前記記憶制御手段は、前記条件充足判定手段により条件を満たすと判定されたときに撮像された画像のデータを前記コンテンツ情報に関連付けて前記記憶手段に記憶することを特徴とする。
【００１５】
また、請求項３に記載の発明は、請求項２に記載のヘッドマウントディスプレイにおいて、前記検出手段は、現在位置の緯度及び経度の情報を前記撮像位置を特定する情報として検出する位置検出手段を含むことを特徴とする。
【００１６】
また、請求項４に記載の発明は、請求項２に記載のヘッドマウントディスプレイにおいて、前記検出手段は、無線タグ情報を前記撮像位置を特定する情報として検出するタグリーダを含むことを特徴とする。
【００１７】
また、請求項５に記載の発明は、請求項２に記載のヘッドマウントディスプレイにおいて、前記検出手段は、前記撮像手段で撮像された画像に所定画像が含まれているときに、当該画像を前記撮像位置を特定する情報として検出することを特徴とする。
【００１８】
また、請求項６に記載の発明は、請求項１〜５のいずれか１項に記載のヘッドマウントディスプレイにおいて、前記撮像手段はユーザの視野範囲を撮像するものであり、さらに、ユーザの視線方向を検出する視線方向検出手段と、前記視線方向検出手段による検出結果に応じて、前記撮像手段によりユーザの視野範囲の撮像を行わせる撮像制御手段と、を備えたことを特徴とする。
【００１９】
また、請求項７に記載の発明は、請求項１〜６のいずれか１項に記載のヘッドマウントディスプレイにおいて、前記撮像手段により撮像されて前記コンテンツ情報に関連付けられた画像を、当該コンテンツ情報に応じた画像と合成して前記表示手段により表示させる表示制御手段を備えたことを特徴とする。
【００２０】
また、請求項８に記載の発明は、請求項１〜７のいずれか１項に記載のヘッドマウントディスプレイにおいて、前記表示手段は、ユーザに前記画像光に応じた画像を外景と重ねて視認させるシースルー型であることを特徴とする。
【発明の効果】
【００２１】
本発明によれば、撮像手段で撮像した画像のデータを、表示手段により表示されたコンテンツのコンテンツ情報に関連付けて記憶することができるため、例えば、表示された前記コンテンツを雛型とした新たなオリジナルコンテンツを容易に作成することが可能となる。
【図面の簡単な説明】
【００２２】
【図１】ヘッドマウントディスプレイ（ＨＭＤ）の使用状態を示す説明図である。
【図２】ＨＭＤの概要構成図である。
【図３】ＨＭＤの具体的外観構成を示す説明図である。
【図４】ＨＭＤの電気的構成及び光学的構成を示したブロック図である。
【図５】ＨＭＤの制御部の構成を示すブロック図である。
【図６】ＨＭＤの第１の実施形態に係る使用形態の一例を示す説明図である。
【図７】ＨＭＤの第１の実施形態に係る使用形態一例を示す説明図である。
【図８】ＨＭＤの使用形態の一例を示す説明図である。
【図９】ＨＭＤの使用形態の変形例を示す説明図である。
【図１０】ＨＭＤのメイン制御処理の流れを示す説明図である。
【図１１】同メイン制御処理のサブルーチンの流れを示す説明図である。
【図１２】ＨＭＤの第２の実施形態に係る処理の流れを示す説明図である。
【発明を実施するための形態】
【００２３】
以下、第１の実施形態に係るヘッドマウントディスプレイ（以下、「ＨＭＤ：Head Mount Display」という。）について、図面を参照しながら説明する。なお、本実施形態では、HMDを、画像信号に基づいて生成した画像光を２次元的に走査し、その走査された画像光をユーザの眼に投射して網膜上に結像させる網膜走査型として説明するが、本発明はこれに限定されるものではなく、コンテンツ情報に応じた画像光を外光と共にユーザの眼に入射させ、前記コンテンツ情報に応じた画像を外景と重ねて表示する表示手段を備えた構成を有するものであれば全てに適用することができる。
【００２４】
［１．ＨＭＤの概要］
図１（ａ）に示すように、本実施形態に係るＨＭＤは、外光４００の一部が少なくともユーザ１００のいずれかの眼１０１に到達する状態で、コンテンツ情報に応じた画像光５００をハーフミラー１０で反射させてユーザ１００の眼１０１に投射し、当該ユーザ１００にコンテンツ画像２００を外景と重ねて視認させるシースルー型の表示部１を備えている。
【００２５】
また、この表示部１の筐体１３（図３参照）には、ユーザ１００の視野範囲を撮像することのできる小型のＣＣＤカメラ２が取り付けられている。詳しくは後述するが、本実施形態では、このＣＣＤカメラ２は手動撮像モードと自動撮像モードでの撮像が可能となっている。
【００２６】
そして、図１（ｂ）に示すように、このＨＭＤを頭部１０２に装着したユーザ１００に対して、表示画像となるコンテンツ画像２００としての旅行ガイドを視認させ、ユーザ１００はコンテンツ画像２００による旅行案内にしたがって旅行を楽しむことができる。そして、目的地の先々において、別途カメラを取り出したりすることなく、ＣＣＤカメラ２により所望する写真を手動又は自動で撮影することができる。
【００２７】
コンテンツである旅行ガイドは、移動距離や移動時間に極力無駄が発生しない旅程が旅行対象となる観光地別に組まれたものであり、目的地となる複数の観光スポットについて、図１（ｂ）に示すように、所定のコンテンツ画像２００が表示される。
【００２８】
コンテンツ画像２００には、代表画像欄２０１ととともに、その土地の歴史的、あるいは社会的意義やこの土地に関する有用な旅情報がテキスト情報欄２０２が含まれており、かかるコンテンツ画像２００は、ユーザ１００の視界の中で外景に重畳された状態で表示される。
【００２９】
なお、コンテンツ画像２００を表示するためのコンテンツ情報は、所定のインターネットサイトからダウンロードしたり、ＣＤ−ＲＯＭやＤＶＤ−ＲＯＭなどの記録媒体やパーソナルコンピュータなどから読み込むことが可能である。
【００３０】
本実施形態に係るＨＭＤは、図２に示すように、ＨＭＤの全体を制御する制御部３０をさらに備えている。
【００３１】
この制御部３０は、コンテンツ情報を記憶するＲＯＭなどの記憶手段を備え、前記コンテンツ情報に含まれる関連付け情報に従ってＣＣＤカメラ２で撮像した画像のデータを前記コンテンツ情報に関連付けて前記記憶手段に記憶する記憶制御手段として機能する。
【００３２】
したがって、撮像手段で撮像した画像のデータを、表示手段により表示されたコンテンツのコンテンツ情報に関連付けて記憶することができ、例えば、表示された前記コンテンツを雛型とした新たなオリジナルコンテンツを容易に作成することが可能となる。
【００３３】
さらに、制御部３０は、前記関連付け情報にＣＣＤカメラ２による撮像位置の条件が含まれているか否かを判定する条件有無判定手段、ＣＣＤカメラ２による撮像位置を特定する情報を検出する検出手段、及びこの検出手段による検出結果に基づいてＣＣＤカメラ２による撮像位置が前記撮像位置の条件を満たすか否かを判定する条件充足判定手段としても機能している。
【００３４】
そして、制御部３０は、所定の条件を満たすと判定されたときに撮像された画像のデータを、前記コンテンツ情報に関連付けて前記記憶手段に記憶するようにしている。
【００３５】
制御部３０を、ＣＣＤカメラ２による撮像位置を特定する情報を検出する検出手段として機能させるためには、詳しくは後述するが、ＧＰＳなどの位置検出手段を備えた構成とし、現在位置の緯度及び経度の情報を、前記撮像位置を特定する情報として検出できるようにすることができる。
【００３６】
あるいは、制御部３０を検出手段として機能させるために、これも詳しくは後述するが、例えば、所定の観光ルート上の所定位置にＩＣタグ８３０を設置しておき（図７参照）、ＩＣタグ８３０に格納されたタグ情報を前記撮像位置を特定する情報として検出するタグリーダを備えた構成とすることもできる。
【００３７】
あるいは、ＣＣＤカメラ２で撮像された画像に所定画像が含まれていると制御部３０が判定したときに、当該画像を、前記撮像位置を特定する情報として検出するようにしてもよい。
【００３８】
このように、本実施形態によれば、ユーザ１００は本実施形態に係るＨＭＤを装着し、コンテンツとしての旅行ガイドを表示させ、そのガイドに従うことによって快適な旅を楽しむことができる。しかも、ＣＣＤカメラ２で撮像したときに、その撮像位置が上述した条件を満たしている場合は、コンテンツ情報に関連付けて記憶されることになる。
【００３９】
こうして、ＣＣＤカメラ２で撮像した画像のデータを、表示部１により表示されたコンテンツ（旅行ガイド）に対応したコンテンツ情報に関連付けて記憶することができるため、記憶した後は、前記旅行ガイドを雛型とした新たなオリジナルの旅行ガイドや記念となる旅行アルバムをいつでも容易に作成することが可能となる。
【００４０】
また、ＣＣＤカメラ２はユーザ１００の視野範囲を撮像するものであり、さらに、本実施形態に係るＨＭＤの制御部３０は、後述するＣＣＤカメラ９６と協働してユーザ１００の視線方向を検出する視線方向検出手段として機能するとともに、この視線方向検出手段として機能した結果に応じて、ＣＣＤカメラ２によりユーザ１００の視野範囲の撮像を行わせる撮像制御手段としても機能している。
【００４１】
すなわち、ＣＣＤカメラ２の作動モードとして、ユーザ１００が手動で撮像する手動撮像モードのほか、ユーザ１００が所定の方向を見つめた場合、制御部３０はその方向を視線方向として検出し、その視線方向が所定時間（例えば３秒）維持されている場合、ＣＣＤカメラ２のシャッタを自動的に切って撮像する自動撮像モードがある。
【００４２】
なお、ＣＣＤカメラ２がビデオカメラとして機能している場合、自動撮像モードであれば、ビデオカメラとしてモニタ動作している間に、視線方向が所定時間（例えば３秒）維持された場合の画像を静止画像としてキャプチャするのである。
【００４３】
後に詳述するが、制御部３０は、ＣＰＵ４０、プログラムＲＯＭ４１、フラッシュＲ０Ｍ４２、ＲＡＭ４３などを備えたコンピュータからなり、プログラムＲＯＭ４１に格納された制御プログラムに従ってＣＰＵ４０が上記各手段として機能することになる。なお、プログラムＲＯＭ４１に格納された制御プログラムは、例えば、ＣＤ−Ｒ、ＤＶＤ―Ｒなどの記録媒体に記録されているものでもよく、例えば図示しない記録媒体ドライブからフラッシュＲ０Ｍ４２に読み込むようにしてもよい。
【００４４】
［２．ＨＭＤの電気的構成及び光学的構成を含む具体的構成］
本実施形態に係るＨＭＤの概要は上述してきた通りであり、以下、図３〜図５を参照しながら、ＨＭＤの具体的な構成について詳述する。
【００４５】
図３に示すように、ＨＭＤは、ユーザ１００の頭部１０２に装着される装着部１１に取り付けられた筐体１３と、光ファイバケーブル５０や電送ケーブル５１などからなる接続ケーブル５２を介して当該筐体１３と接続されたコントロールユニット３とを備えている。そして、筐体１３に収納された投影ユニット１ａと、コントロールユニット３に収納配設された光源ユニット１ｂとから表示部１が構成されている。なお、装着部１１は、略眼鏡形状とした支持部材からなり、あたかも眼鏡のようにして簡単に装着することができる。
【００４６】
投影ユニット１ａを収納した筐体１３は、装着部１１をユーザ１００の頭部１０２へ装着したとき、ユーザ１００の左眼部分と左側こめかみ部分とを被覆するような平面視略Ｌ字形状に形成されており、この筐体１３の上面１３ａ側にＣＣＤカメラ２が配設され、電送ケーブル５１を介してコントロールユニット３の制御部３０に接続されている。ＣＣＤカメラ２は、図示しないがシャッタボタンを備えており、手動撮像モードにおいてはこのシャッタボタンの操作により撮像することができる。なお、コントロールユニット３に撮像用の操作ボタンを設け、その撮像ボタンを押すことで手動撮像させても良い。
【００４７】
また、図示するように、筐体１３の先端側には、左の眼１０１の前方に位置するようにハーフミラー１０が取り付けられており、外光４００をハーフミラー１０から透過させてユーザ１００の左の眼１０１に入射させ、画像光５００はハーフミラー１０で反射させてユーザ１００の眼１０１に入射させるようにしている（図１（ａ）参照）。また、当然ながら、外光４００は右の眼１０１にも入射している。したがって、ユーザ１００は、両眼１０１，１０１を開けている場合は当然ながら、右の眼１０１を閉じた状態であっても、コンテンツ画像２００を見ながら外界も見ることができる。
【００４８】
コントロールユニット３は、ユーザ１００が衣服のポケットなどに収納して携行可能であり、ケース表面には電源スイッチ７と電源ランプ８とが設けられている。また、このコントロールユニット３内に光源ユニット１ｂとともに収納配設された制御部３０は、無線用の通信Ｉ／Ｆ３９を介してコンテンツ情報や画像情報などを無線通信装置８２０（図６参照）を介して外部から取得可能となっている。そして、取得した画像情報などを、光源ユニット１ｂの画像信号供給回路６に送信している。なお、コンピュータなどの外部機器と有線により接続してコンテンツ情報や画像情報を取得可能とすることもできる。
【００４９】
光源ユニット１ｂの画像信号供給回路６では、取得した画像情報を画素単位で強度変調して画像光５００を形成し、この画像光５００を、光ファイバケーブル５０を介して投影ユニット１ａへ伝送し、投影ユニット１ａでは、伝送された画像光５００を走査してユーザ１００にコンテンツ画像２００を視認させることができる。
【００５０】
図４はＨＭＤの電気的構成及び光学的構成を示したブロック図、図５は制御部の構成を示したブロック図であり、図４に示すように、ＨＭＤは、装着部１１に設けられた投影ユニット１ａと、コントロールユニット３に配設された光源ユニット１ｂとから構成される表示部１と、ユーザ１００の視野範囲を撮像可能なＣＣＤカメラ２とを備えている。また、本実施形態では、コントロールユニット３内に制御部３０を設けており、この制御部３０には、後述するようにＧＰＳ受信部６１０を設けている（図５）。このＧＰＳ受信部６１０はＧＰＳ衛星６００（図６参照）からの信号を受信可能であり、かかるＧＰＳ受信部６１０を有する制御部３０は、ＧＰＳ衛星６００と協働してＣＣＤカメラ２による撮像位置を特定する情報を検出する検出手段として機能することになる。
【００５１】
コントロールユニット３に配設された制御部３０は、ＨＭＤ全体の動作を統括制御することができ、光源ユニット１ｂは、この制御部３０から供給される画像信号Ｓから画像情報を画素単位で読み出し、読み出した画素単位の画像情報に基づいてＲ（赤色），Ｇ（緑色），Ｂ（青色）の各色毎に強度変調された光束を生成して出射する。また、詳しくは図５を参照して後述するが、制御部３０は、図示するように、周辺機器５、無線通信装置８２０やＩＣタグ８３０と接続可能となっている。
【００５２】
なお、光源ユニット１ｂは、コントロールユニット３内に設けるのではなく、投影ユニット１ａと同様に装着部１１に取り付けられる筐体１３内に設けることもできる。また、本実施形態では表示部１として２次元的に走査したレーザ光をユーザ１００の眼１０１に入射し網膜１０１ｂ上に画像を投影する網膜走査型の表示部を例に挙げて説明するが、これに限らず、例えば、液晶型の表示部を用いることもできる。液晶型の表示部としては、例えば、透過型液晶パネルに光源からの光を照射してこの液晶パネルを透過した光を画像光として利用者の眼に入射させる透過型のものや、反射型液晶パネルに光源からの光を照射してこの液晶パネルを反射した光を画像光として利用者の眼に入射させる反射型のものがある。
【００５３】
（光源ユニット１ｂ）
光源ユニット１ｂには、画像を合成するための要素となる信号等を発生する画像信号供給回路６が設けられている。コンピュータ（図示せず）などから供給される画像データが制御部３０に入力されると、制御部３０はその画像データに基づいて画像信号Ｓを生成して画像信号供給回路６に送る。画像信号供給回路６は、画像信号Ｓに基づいて、コンテンツ画像２００を形成するための要素となる各信号を画素単位で生成する。すなわち、画像信号供給回路６からは、Ｒ（赤色）画像信号６０ｒ，Ｇ（緑色）画像信号６０ｇ，Ｂ（青色）画像信号６０ｂが生成されて出力される。また、画像信号供給回路６は、水平走査部８０で使用される水平駆動信号６１と、垂直走査部９０で使用される垂直駆動信号６２とをそれぞれ出力する。
【００５４】
また、光源ユニット１ｂには、画像信号供給回路６から画素単位で出力されるＲ画像信号６０ｒ、Ｇ画像信号６０ｇ、Ｂ画像信号６０ｂの各画像信号６０ｒ，６０ｇ，６０ｂをもとに、それぞれ強度変調されたレーザ光（「光束」とも呼ぶ。）である画像光５００を出射するように、Ｒレーザ６３，Ｇレーザ６４，Ｂレーザ６５をそれぞれ駆動するためのＲレーザドライバ６６，Ｇレーザドライバ６７，Ｂレーザドライバ６８が設けられている。各レーザ６３，６４，６５は、例えば、半導体レーザや高調波発生機構付き固体レーザとして構成することが可能である。なお、半導体レーザを用いる場合は駆動電流を直接変調して、レーザ光の強度変調を行うことができるが、固体レーザを用いる場合は、各レーザそれぞれに外部変調器を備えてレーザ光の強度変調を行う必要がある。
【００５５】
さらに、光源ユニット１ｂは、各レーザ６３，６４，６５より出射されたレーザ光を平行光にコリメートするように設けられたコリメート光学系７１，７２，７３と、このコリメートされたレーザ光を合波するためのダイクロイックミラー７４，７５，７６と、合波されたレーザ光を光ファイバケーブル５０に導く結合光学系７７とが設けられている。
【００５６】
従って、各レーザ６３，６４，６５から出射したレーザ光は、コリメート光学系７１，７２，７３によってそれぞれ平行化された後に、ダイクロイックミラー７４，７５，７６に入射される。その後、これらのダイクロイックミラー７４，７５，７６により、各レーザ光が波長に関して選択的に反射・透過される。そして、これら３つのダイクロイックミラー７４，７５，７６にそれぞれ入射した３原色のレーザ光は、波長選択的に反射または透過して結合光学系７７に達し、集光されて光ファイバケーブル５０へ出力される。
【００５７】
（投影ユニット１ａ）
光源ユニット１ｂとユーザ１００の眼１０１との間に位置する投影ユニット１ａには、光源ユニット１ｂで生成され、光ファイバケーブル５０を介して出射されるレーザ光を平行光化するコリメート光学系７９と、このコリメート光学系７９で平行光化されたレーザ光を画像表示のために水平方向に往復走査する水平走査部８０と、水平走査部８０で水平方向に走査されたレーザ光を垂直方向に走査する垂直走査部９０と、水平走査部８０と垂直走査部９０との間に設けられた第１リレー光学系８５と、このように水平方向と垂直方向に走査されたレーザ光を瞳孔１０１ａへ出射するための第２リレー光学系９５とが設けられている。
【００５８】
水平走査部８０及び垂直走査部９０は、光ファイバケーブル５０から入射されたレーザ光を画像としてユーザ１００の網膜１０１ｂに投影可能な状態にするために、水平方向と垂直方向に走査して走査光束とする光学系であり、水平走査部８０は、レーザ光を水平方向に走査するため偏向面を有する共振型の偏向素子８１と、この偏向素子８１を共振させて偏向素子８１の偏向面を揺動させる駆動信号を水平駆動信号６１に基づいて発生する水平走査駆動回路８２を備えている。
【００５９】
一方、垂直走査部９０は、レーザ光を垂直方向に走査するため偏向面を有する非共振型の偏向素子９１と、この偏向素子９１の偏向面を非共振状態で揺動させる駆動信号を垂直駆動信号６２に基づいて発生する垂直走査駆動回路９２とを備え、表示すべき画像の１フレームごとに、画像を形成するためのレーザ光を最初の水平走査線から最後の水平走査線に向かって垂直に走査する。ここで「水平走査線」とは、水平走査部８０による水平方向への１走査を意味する。
【００６０】
なお、偏向素子８１，９１は、ここではガルバノミラーを用いることとするが、レーザ光を走査するようにその偏向面（反射面）を揺動又は回転させられるものであれば、圧電駆動、電磁駆動、静電駆動等いずれの駆動方式によるものであってもよい。また、本実施形態においては、水平走査部８０に共振タイプの偏向素子を用い、垂直走査部９０を非共振タイプの偏向素子を用いることとしているが、これに限らず、例えば、垂直走査部９０に共振タイプの偏向素子を用いてもよいし、どちらも非共振タイプの偏向素子としてもよい。
【００６１】
また、水平走査部８０と垂直走査部９０との間でレーザ光を中継する第１リレー光学系８５は、偏向素子８１の偏向面によって水平方向に走査されたレーザ光を偏向素子９１の偏向面に収束させる。そして、このレーザ光が偏向素子９１の偏向面によって垂直方向に走査され、正の屈折力を持つ２つのレンズ９５ａ，９５ｂが直列配置された第２リレー光学系９５を介して、眼１０１の前方に位置させたハーフミラー１０で反射されてユーザ１００の瞳孔１０１ａに入射し、網膜１０１ｂ上に画像信号Ｓに応じたコンテンツ画像２００が投影される。これにより、ユーザ１００はこのように瞳孔１０１ａに入射する画像光５００であるレーザ光を、コンテンツ画像２００として認識する（図１参照）。
【００６２】
なお、第２リレー光学系９５においては、レンズ９５ａによって、それぞれのレーザ光がそのレーザ光の中心線を相互に略平行にされ、かつそれぞれ収束レーザ光に変換される。そして、レンズ９５ｂによってそれぞれほぼ平行なレーザ光となると共に、これらのレーザ光の中心線がユーザ１００の瞳孔１０１ａに収束するように変換される。
【００６３】
また、第２リレー光学系９５とハーフミラー１０との間には、ハーフミラー９７が設けられており、このハーフミラー９７によりユーザ１００の左眼１０１及びその周辺で反射した光をＣＣＤカメラ９６へ入射するようにしている。制御部３０は、ＣＣＤカメラ９６で撮像した画像からユーザ１００の左眼１０１の虹彩位置に基づいて、ユーザ１００の視線方向を検出する。
【００６４】
（制御部３０）
制御部３０は、その内部に記憶されている制御プログラムにしたがって後述する所定の処理を実行することによって、前述した判定手段、検出手段、記憶制御手段、条件充足手段、及び撮像制御手段として機能するほか、表示部１における表示全体を制御する表示制御手段として機能している。さらに、本実施形態では、投影ユニット１ａに配設したＣＣＤカメラ９６と協働して、ユーザ１００の視線方向を検出する視線方向検出手段としても機能している。
【００６５】
図５に示すように、制御部３０は、各コントローラ３１，３２，３４，３６と、各ＶＲＡＭ（Video Random Access Memory）３３，３５，３７と、周辺機器インターフェース（図中「Ｉ／Ｆ」と示し、以下「Ｉ／Ｆ」とも呼ぶ。）３８と、通信Ｉ／Ｆ３９と、を備えている。
【００６６】
主コントローラ３１は、ＣＰＵ（Central  Processing  Unit）４０と、不揮発性メモリであるプログラムＲＯＭ（Read  Only  Memory）４１と、フラッシュＲＯＭ（フラッシュメモリ）４２と、ＲＡＭ（Random  Access  Memory）４３と、を備えており、これらはデータ通信用のバスにそれぞれ接続されており、このデータ通信用のバスを介して各種情報の送受信を行う。
【００６７】
ＣＰＵ４０は、プログラムＲＯＭ４１に記憶されている制御プログラムを実行することにより、主コントローラ３１としてＨＭＤを構成する各部を動作させて、ＨＭＤが備える各種機能を実行させる演算処理装置である。また、フラッシュＲＯＭ４２は、ＣＣＤカメラ２，９６などから出力される画像データや、他の装置から供給される画像データを記憶する。
【００６８】
ＨＭＤ用コントローラ３２は、主コントローラ３１からの要求に応じて表示部１を制御し、主コントローラ３１によりＨＭＤ用ＶＲＡＭ３３に記憶された画像データに基づいた画像信号Ｓを表示部１に供給する。表示部１は、ＨＭＤ用コントローラ３２から画像信号Ｓが入力されると、この画像信号Ｓに基づいて強度変調した各色のレーザ光を生成及び走査してユーザ１００の眼１０１に出射し、ユーザ１００の網膜１０１ｂに画像信号Ｓに応じた画像を投影する。これによって、主コントローラ３１は、画像を表示させる制御を行う。
【００６９】
カメラ用コントローラ３４は表示部１内に配置された撮像手段であるＣＣＤカメラ９６を制御し、カメラ用ＶＲＡＭ３５はＣＣＤカメラ９６から出力される画像データを一時的に記憶する。主コントローラ３１は、ユーザ１００の視線方向を認識するために、カメラ用コントローラ３４を介してＣＣＤカメラ９６を制御し、ユーザ１００の眼及びその周辺をＣＣＤカメラ９６により撮像させ、ＣＣＤカメラ９６から出力される画像データをカメラ用ＶＲＡＭ３５を介して取得する。これによって、主コントローラ３１は、ＣＣＤカメラ９６によって撮像された画像を取得することができ、その画像を解析することによってユーザ１００の視線方向を認識している。
【００７０】
カメラ用コントローラ３６は撮像手段であるＣＣＤカメラ２を手動撮像モード、自動撮像モードの２系統で制御することができ、カメラ用ＶＲＡＭ３７はＣＣＤカメラ２から出力される画像データを一時的に記憶する。
【００７１】
自動撮像モードの場合、主コントローラ３１は、カメラ用コントローラ３４を介してＣＣＤカメラ２を制御し、ユーザ１００の視野範囲のうち少なくとも表示部１による画像の表示領域を含む範囲をＣＣＤカメラ２により撮像させ、ＣＣＤカメラ２から出力される画像データをカメラ用ＶＲＡＭ３７を介して取得する。なお、ＣＣＤカメラ２，９６によって撮像された画像の処理をするために主コントローラ３１内に別途画像処理部をハードウェアで構成することにより画像処理を高速に行うことができる。
【００７２】
周辺機器Ｉ／Ｆ３８は、電源スイッチ７（図３参照）やランプ類等（例えば電源ランプ８（図３参照））の周辺機器５をコントロールユニット３に接続するためのインターフェースである。主コントローラ３１は、電源スイッチ７等のスイッチ類からの操作情報を周辺機器Ｉ／Ｆ３８から受け取ってその操作情報に応じた処理を行い、また、処理状況に応じて周辺機器Ｉ／Ｆ３８を介してランプ類の点灯情報をランプ類に供給する。
【００７３】
ＧＰＳ受信部６１０は、前述したようにＧＰＳ衛星６００から信号を受信可能であり、信号を受信する度に主コントローラ３１は、その信号に含まれた衛星軌道情報などから現在位置の演算を行う。こうして、ＧＰＳ受信部６１０を有する制御部３０は、ＣＣＤカメラ２による撮像位置を特定する情報を検出する検出手段として機能することになる。
【００７４】
通信Ｉ／Ｆ３９は、コントロールユニット３と無線通信装置８２０やＩＣタグ８３０、さらにはパーソナルコンピュータなどの外部機器とを無線により通信可能に制御する。主コントローラ３１は、例えば、通信Ｉ／Ｆ３９を介してコンテンツ情報の供給を無線通信装置８２０に要求し、通信Ｉ／Ｆ３９を介して供給されたコンテンツ情報に含まれる画像データに基づいた画像信号Ｓを表示部１に供給する。
【００７５】
また、主コントローラ３１は、通信Ｉ／Ｆ３９を介してＩＣタグ８３０に含まれているタグ情報を読み込み、タグ情報に含まれる位置情報を、ＣＣＤカメラ２による撮像位置を特定する情報として検出することができる。つまり、検出手段である制御部３０の主コントローラ３１と通信Ｉ／Ｆ３９とは、ＣＣＤカメラ２による撮像位置を特定する情報をＩＣタグ８３０から検出するタグリーダとして機能することになる。
【００７６】
なお、上述においては、撮像手段としてＣＣＤカメラ２，９６を用いることとしたが、これに限られず、ＣＭＯＳカメラなどを用いてもよい。また、本実施形態ではＧＰＳ受信部６１０をコントロールユニット３の制御部３０に収納した構成としたが、投影ユニット１ａを収納した筐体１３内に収納配設し、伝送ケーブルなどで制御部３０と接続する構成としてもよい。
【００７７】
［３．ＨＭＤの使用例］
本実施形態では、ＨＭＤの使用例として、表示部１に旅行ガイドをコンテンツ画像２００として表示させ、ユーザ１００はかかるコンテンツ画像２００を見ながら、その旅行案内にしたがって旅行を楽しむとともに、ＨＭＤに付設したＣＣＤカメラ２を用いて静止画像の撮像を行い、旅行終了後は、ユーザ１００が撮像画像を用いて旅行アルバムを作成する場合としている。なお、ここでは、撮像画像として静止画像を例に挙げて説明するが、静止画像に代えて動画像としてもよいし、静止画像と動画像とを混在させることもできる。
【００７８】
本実施形態では、旅行ガイドとなるコンテンツ情報に含まれる関連付け情報に従ってＣＣＤカメラ２で撮像した画像のデータを、このコンテンツ情報に関連付けてフラッシュＲＯＭ４２に記憶するようにしているため、コンテンツとして使用した旅行ガイドを雛型とした電子旅行アルバムを容易に作成することができ、必要に応じて本ＨＭＤの表示部１により表示することもできる。
【００７９】
このように、作成した電子旅行アルバムを本ＨＭＤの表示部１により表示する場合は、制御部３０は表示制御手段として機能することになり、ＣＣＤカメラ２により撮像されてコンテンツ情報に関連付けられた画像を、当該コンテンツ情報に応じた画像と合成して表示部１により表示させることとなる。
【００８０】
また、作成した電子旅行アルバムは、ＨＭＤのみならず、その他のモニタで表示させることもできる。また、電子旅行アルバムのデータを紙にプリントアウトして、実際の旅行アルバムのような仕様にすることも可能である。
【００８１】
ここで、「コンテンツ情報に含まれる関連付け情報に従ってＣＣＤカメラ２で撮像した画像のデータを、このコンテンツ情報に関連付けてフラッシュＲＯＭ４２に記憶する」とは、以下のようなことを意味している。
【００８２】
すなわち、コンテンツ情報には、コンテンツ画像２００を生成するための画像情報と、関連付け情報とが含まれており、画像情報には、目的地である観光スポットの場所情報（位置情報）やコンテンツ画像２００の中の画像やテキストの各情報、並びにそれぞれの画面表示位置を示す情報などが含まれる一方、関連付け情報には、ＣＣＤカメラ２による「撮像位置の条件」を示す情報や、ＣＣＤカメラ２による撮像画像のコンテンツ画像２００とのリンク情報などが含まれている。
【００８３】
また、旅行ガイド（コンテンツ情報）を雛型として作成された旅行電子アルバム（図８参照）のアルバムコンテンツ画像３００には、旅行ガイドとして表示されているコンテンツ画像２００の中の代表画像欄２０１（図１（ｂ）参照）に相当する位置に撮像画像が表示される画像欄３０１が設けられている。
【００８４】
上記コンテンツ情報に基づいて、上記旅行電子アルバムを作成するに際し、制御部３０は、ユーザ１００がＣＣＤカメラ２で撮像した画像がアルバムコンテンツ画像３００の画像欄３０１に表示されるように、当該撮像画像をコンテンツ情報に関連付けしてフラッシュＲＯＭ４２に記憶するのである。
【００８５】
より具体的に説明すると、旅行ガイドとして表示されるコンテンツ画像２００として、複数の観光スポットＡ，Ｂ，・・に対応した複数のコンテンツ画像２００Ａ，２００Ｂ，・・が用意されている。そして、観光スポットＡで撮像した撮像画像をコンテンツ画像２００Ａに関連付ける場合、コンテンツ画像２００Ａが表示されており、かつ、関連付け情報としてのＣＣＤカメラ２による「撮像位置の条件」を満たした場合は、撮像画像のデータに、ファイル２００Ａ０１，ファイル２００Ａ０２といった固有のファイル名が付されてコンテンツ情報フォルダに記憶される。
【００８６】
そして、コンテンツ画像２００Ａに対応する旅行電子アルバムのアルバムコンテンツ画像３００Ａを表示する際には、撮像画像のデータには固有のファイル名が付いているのでコンテンツ情報フォルダから該当する撮像画像のデータが取得されて画像欄３０１に表示されることになる。
【００８７】
あるいは、コンテンツ画像２００Ａが表示されており、かつ、関連付け情報として、ＣＣＤカメラ２による「撮像位置の条件」を満たした場合は、撮像画像のデータが、コンテンツ画像２００Ａ，２００Ｂ，・・にそれぞれ対応したフォルダに順次記憶される。
【００８８】
この場合、コンテンツ画像２００Ａに対応する旅行電子アルバムのアルバムコンテンツ画像３００Ａを表示する際には、コンテンツ画像２００Ａ，２００Ｂ，・・にそれぞれ対応したフォルダから撮像画像のデータが取得されて画像欄３０１に表示されることになる。
【００８９】
このように、制御部３０は、ＣＣＤカメラ２により撮像された画像のデータをコンテンツ情報に関連付けて記憶するのであるが、このとき制御部３０は、関連付け情報中にＣＣＤカメラ２による「撮像位置の条件」が含まれているか否かを判定し、さらに、ＣＣＤカメラ２による撮像位置を特定する情報を検出して、その検出結果に基づいてＣＣＤカメラ２による撮像位置が前記した「撮像位置の条件」を満たすか否かを判定し、条件を満たすと判定したときに撮像された画像のデータをコンテンツ情報に関連付けてフラッシュＲＯＭ４２に記憶するようにしている。
【００９０】
前述したように、制御部３０はＧＰＳ受信部６１０を備えており、ＣＣＤカメラ２による撮像位置を特定する情報を検出する検出手段として機能している。つまり、制御部３０は、所謂ＧＰＳ機能を位置検出手段として備えているため、ＣＣＤカメラ２の現在位置、すなわちＨＭＤの現在の緯度及び経度の情報を検出することができる。そして、コンテンツ情報にＣＣＤカメラ２による「撮像位置の条件」が関連付け情報として含まれている場合に、位置検出手段としての検出結果が当該「撮像位置の条件」を満たしたときに撮像した画像のデータを、制御部３０は前述したようにコンテンツ情報に関連付けて、すなわち旅行ガイドとなるコンテンツ画像２００の代表画像欄２０１の位置と関連付けてフラッシュＲＯＭ４２に記憶させるのである。
【００９１】
また、前述したように、制御部３０は、観光地などの所定場所に設置されたＩＣタグ８３０（図７参照）に格納されたタグ情報を、撮像位置を特定する情報として検出するタグリーダ（主コントローラ３１及び通信Ｉ／Ｆ３９）を備えており、このタグリーダで検出したタグ情報がコンテンツ情報に含まれた「撮像位置の条件」を満たした場合でも、当該制御部３０は画像のデータをコンテンツ情報に関連付けてフラッシュＲＯＭ４２に記憶する。
【００９２】
（ＨＭＤの具体的な使用例）
ここで、本実施形態に係るＨＭＤの具体的な使用例について、図６〜図１０を参照して説明する。図６〜図８は本実施形態に係るＨＭＤの使用状態の一例を示す説明図、図９及び図１０は制御部３０で実行される制御処理の流れを示す説明図である。
【００９３】
図６に示すように、ＨＭＤを使用して旅行に出かけたユーザ１００は、先ず、所定の旅行開始場所（ここでは旅行目的地の最寄りの駅８１０としている）において、コンテンツ情報である旅行ガイドのデータをダウンロードして、フラッシュＲＯＭ４２に記憶する。旅行ガイドのデータには、当該駅８１０を起点として組まれた旅程の情報が含まれている。
【００９４】
すなわち、図６に示すように、駅８１０には無線通信装置８２０が設置されており、この無線通信装置８２０は、図示しないコンピュータと接続され、このコンピュータはインターネット８００を介して所定の旅行サイトを運営するサーバ装置７００に接続可能となっている。すなわち、本実施形態では、ユーザ１００は、旅行用の旅行ガイドとなるコンテンツ情報を、駅８１０においてインターネット８００を介してサーバ装置７００から得るようにしている。
【００９５】
例えば旅程には、最初に○△公園に行って□□記念碑や□□庭園を見学し、次いで、バスなどで移動して海に出て□□岩を眺め、さらにバスで移動して旧街道を散策しながら酒蔵などを見学し、そのまま徒歩で移動して新都心として近代ビルの立ち並ぶ市街地の象徴である□□タワーに行って展望するルートが設定されていたりするのである。ここで、○△公園や□□記念碑などが、前述した観光スポットＡ，Ｂに相当し、コンテンツ情報である旅行ガイドでは、○△公園や□□記念碑に応じたコンテンツ画像２００がそれぞれ表示されることになる。
【００９６】
また、図示するように、ＧＰＳ衛星６００と、ＨＭＤが備えるＧＰＳ受信部６１０（図５参照）とにより、旅行中におけるユーザ１００の位置は緯度及び経度の情報によって特定することができるため、ユーザ１００が装着しているＨＭＤに設けられたＣＣＤカメラ２の位置も特定される。
【００９７】
こうして、ＨＭＤを装着して旅行ガイドをコンテンツ情報として取得したユーザ１００は、当該駅８１０を起点として、予め組まれた旅程に従って旅行を開始する。
【００９８】
図１（ｂ）に示したように、旅行ガイドであるコンテンツ情報に基づいて表示されるコンテンツ画像２００には、目的地を示す画像、あるいは目的地に存在する有名な観光スポットなどの画像からなる代表画像欄２０１とともに、目的地までの移動方法、目的地に関する旅情報が掲載されているテキスト情報欄２０２が含まれており、ユーザ１００は、コンテンツ画像２００を見ることで、目的地の情報を得ながら確実に移動することができる。
【００９９】
また、かかるコンテンツ画像２００のほかに、駅８１０で取得したコンテンツ情報には、ユーザ１００がＣＣＤカメラ２を用いて撮像する画像との関連付け情報が含まれている。そして、この関連付け情報には、コンテンツ画像２００で紹介した観光スポットで撮像するに相応しい撮像対象物をＣＣＤカメラ２で撮像するのに最適な位置（撮像位置エリア）を示す情報が「撮像位置の条件」として含まれている場合がある。
【０１００】
他方、ＨＭＤの制御部３０は、ＣＣＤカメラ２が存在する位置、すなわちＨＭＤを装着したユーザ１００の位置を、ＧＰＳで緯度及び経度の情報を取得しながら常時監視しており、その情報が、コンテンツ情報に含まれた関連付け情報としての「ＣＣＤカメラ２で撮像するのに最適な位置（撮像位置エリア）を示す情報」に含まれる場合、すなわち、撮像位置が「撮像位置の条件」を充足した場合、ＣＣＤカメラ２で撮像した画像のデータを、コンテンツ情報に関連付けてフラッシュＲＯＭ４２に記憶させる。
【０１０１】
また、制御部３０は主コントローラ３１及び通信Ｉ／Ｆ３９からなるタグリーダを備えている。そして、図７に示すように、コンテンツ画像２００で紹介した様々な観光スポットに適宜設けられたＩＣタグ８３０からタグ情報を取得した場合も、そのタグ情報を取得可能な撮像位置エリアにある限り、撮像位置の条件が充足されたものとする。したがって、その撮像位置エリア内においてＣＣＤカメラ２で撮像した画像のデータは、コンテンツ情報に関連付けてフラッシュＲＯＭ４２に記憶される。図７で示した例では、ユーザ１００は○△公園の□□記念碑及び□□庭園を見学しており、当該記念碑や庭園の近傍にＩＣタグ８３０を設けた案内板が設置されているとともに、この案内板に近接して撮像位置エリアが形成されている。
【０１０２】
このように、撮像位置が撮像位置の条件を充足した場合（ＣＣＤカメラ２が撮像位置エリア内に存在する場合）、本実施形態に係るＨＭＤは、ユーザ１００が手動でＣＣＤカメラ２を操作して撮像したものをコンテンツ情報に関連付けてフラッシュＲＯＭ４２に記憶するほか、自動的にＣＣＤカメラ２で撮像して撮像した画像のデータをコンテンツ情報に関連付けてフラッシュＲＯＭ４２に記憶することもできる。
【０１０３】
すなわち、ＣＣＤカメラ２はユーザ１００の視野範囲を撮像するものであり、さらに、前述したように、制御部３０とＣＣＤカメラ９６とにより視線方向検出手段として機能するため、本実施形態に係るＨＭＤは、ユーザ１００の視線方向を検出することができるようになっている。そして、制御部３０は撮像制御手段として機能し、視線方向の検出結果に応じて、ＣＣＤカメラ２によりユーザ１００の視野範囲の撮像を行わせるのである。
【０１０４】
このように、自動撮像することができるため、例えば、撮像位置の条件を充足しているエリア内、すなわち前記撮像位置エリア内にユーザ１００がいれば、ユーザ１００は所望する撮像対象の方向を見つめるだけで自動的に撮像することができる。したがって、一般の旅行中のカメラ撮影のように、シャッタチャンスとなる場所を探し回ってシャッタを切るといった煩わしさがない。
【０１０５】
また、自動撮像された画像のデータは、旅行ガイドのコンテンツ画像２００における代表画像欄２０１の表示位置などを示すコンテンツ情報に関連付けられてフラッシュＲＯＭ４２に記憶されることになる。
【０１０６】
例えば、表示部１により表示されるコンテンツ情報（旅行ガイド）に従って移動して、予め旅程に組まれた観光スポットを旅行し、その間に、幾多の場所でＣＣＤカメラ２により自動撮像されたとする。撮像された画像のデータは、フラッシュＲＯＭ４２にコンテンツ情報に関連付けられて記憶されているため、ユーザ１００は、後日、いつでもかかる画像のデータを用いて、新たなコンテンツ、例えば旅行電子アルバムを作成することができる。
【０１０７】
なお、手動で撮像した画像の場合であっても、撮像した位置が「撮像位置の条件」を充足しているエリア内であるならば、関連付けの条件を満たしているものとして、これもやはりコンテンツ情報に関連付けられて記憶される（図１０のステップＳ１０９を参照）。したがって、ユーザ１００は、手動で撮像した画像も旅行電子アルバムの作成に用いることができる。
【０１０８】
図８に示した旅行電子アルバムとなるアルバムコンテンツ画像３００は、旅行ガイドとして用いたコンテンツ（図１（ｂ）参照）を雛型としたものであり、旅行ガイドの代表画像欄２０１に対応した画像欄３０１には、コンテンツ画像２００に表示された観光スポットでユーザ１００により撮像された画像が表示されるとともに、ユーザ１００が作成したコメント欄３０２が旅行ガイドのテキスト情報欄２０２に対応して表示されている。
【０１０９】
また、図８に示したアルバムコンテンツ画像３００は、旅行ガイドの各観光スポット毎に設けられたコンテンツ画像２００に対応する画像が帯状に連続して表示されたものとしているが、各コンテンツ画像２００に対応したアルバムコンテンツ画像３００が個別に表示されるようにしてもよい。なお、図８に示すように、帯状に表示されたアルバムコンテンツ画像３００は、所定の操作によりスクロール表示できるようにしておくことができる。
なお、アルバムコンテンツ画像３００におけるコメント欄３０２は、ユーザ１００が新たに生成するのではなく、旅行ガイドのテキスト情報欄２０２に記載されている旅情報をそのまま用いても構わない。
【０１１０】
また、画像欄３０１には画像は一つの画像のみではなく、この観光スポットに関連付けられて撮像された画像は全て表示できるようにしておくことが望ましい。例えば、画像欄３０１のサイズが一つの画像に対応したサイズであっても、所定の操作でこの画像欄３０１上に撮像画像が順次表示されるようにしておくのである。
【０１１１】
また、図９に示したものは、アルバムコンテンツ画像３００の変形例であり、このアルバムコンテンツ画像３００にはユーザ１００が撮像した画像は直接的には表示されていない。すなわち、雛型とした旅行ガイドのコンテンツ画像の代表画像欄２０１の画像がそのまま表示される一方、テキスト情報欄２０２の下方に、代表画像欄２０１の画像で表示された観光スポットで撮像された画像にリンクしたリンク情報からなるリンク情報欄３０３が形成されている。この場合、リンク情報欄３０３に表示されているリンク先アドレスを辿ることによってユーザ１００が撮像した画像を表示させることができる。
【０１１２】
このように、旅行ガイドの体裁そのままに、観光スポットを表すコンテンツ画像２００に、ユーザ１００が撮像した画像をリンクさせていく方法によっても旅行電子アルバムの作成は可能である。
【０１１３】
ユーザ１００が作成した上述のアルバムコンテンツ画像３００は、ＨＭＤを用いて表示させることもできるし、例えばパーソナルコンピュータなどを介して適宜モニタ上で表示させることもできる。また、プリンタから紙出力し、実際のアルバムのような体裁にすることもできる。なお、アルバムコンテンツ画像３００が本実施形態のように帯状になっている場合、ＨＭＤで表示するには、例えばコントロールユニット３にスクロール手段などを適宜設けておくものとする。
【０１１４】
以下、図１０及び図１１を参照しながら、制御部３０を中心としたＨＭＤの制御処理の流れについて説明する。図１０はＨＭＤのメイン制御処理のフローであり、図１１は同メイン制御処理のサブルーチンのフローを示している。なお、図１０では、ＨＭＤの電源スイッチ７は既にオン操作されており、電源スイッチ７がオン操作された後の初期設定処理などが全て完了した場合としている。
【０１１５】
図１０に示すように、先ず、旅行先となる目的地のコンテンツ情報をダウンロードする（ステップＳ１０１）。すなわち、本実施形態Ｗでは、旅行の開始場所となる駅８１０において、旅行ガイドとなるコンテンツ情報を、サーバ装置７００からインターネット８００を介してダウンロードし（図６参照）、制御部３０の主コントローラ３１のＣＰＵ４０は、これをフラッシュＲＯＭ４２に記憶する。この「目的地のコンテンツ情報」には、関連付け情報を有するコンテンツ情報（旅行ガイドの情報）が含まれている。
【０１１６】
次いで、ＣＰＵ４０は、関連付け情報を有するコンテンツ（旅行ガイド）を表示中であるか否かを判定する（ステップＳ１０２）。すなわち、ダウンロードしたコンテンツ情報に基づくコンテンツ画像２００を表示部１により表示している場合であって、かつ、その表示されているコンテンツ画像２００のコンテンツ情報として、ユーザ１００がＣＣＤカメラ２を用いて撮像する画像に対する関連付け情報が含まれているか否かを判定する。
【０１１７】
この関連付け情報を有するコンテンツ情報は、後述するステップＳ１０６で表示開始されるもので、目的地のコンテンツ情報をロードした直後では、このステップＳ１０２での判断はＮｏとなり、ＣＰＵ４０は、処理をステップＳ１０３に移す。
【０１１８】
他方、ステップＳ１０２において、関連付け情報が含まれたコンテンツ画像２００を表示中である（コンテンツ情報に関連付け情報が含まれている）と判定した場合（ステップＳ１０２：Ｙｅｓ）、ＣＰＵ４０は処理をステップＳ１０８に移す。
【０１１９】
ステップＳ１０３において、ＣＰＵ４０は目的地となる観光スポットに居るか否かを判定する。すなわち、ユーザ１００が装着しているＨＭＤの現在位置の情報、すなわちＧＰＳ機能により経度及び緯度の情報を取得して、旅行ガイドに示された目的地である観光スポットの位置情報（コンテンツ情報として含まれている位置情報）と比較して、ユーザ１００が目的地（観光スポット）に居るか否かを判定するのである。
【０１２０】
なお、目的地（観光スポット）に居るか否かを判定する方法としては、ＧＰＳ機能のほか、前述したように観光スポットの適宜場所に設けられたＩＣタグ８３０から無線タグ情報を取得した場合についても、ＣＰＵ４０は目的地に居ると判定することができる。すなわち、ＣＰＵ４０は、コンテンツ情報に含まれる観光スポットの位置情報と、ＩＣタグ８３０から読み込んだタグ情報とが一致すれば目的地に居ると判定するのである。
【０１２１】
このステップＳ１０３において、目的地に居ると判定した場合（ステップＳ１０３：Ｙｅｓ）、ＣＰＵ４０は、「ＣＣＤカメラ２で撮像するのに最適な位置（撮像位置エリア）を示す情報」などの関連付け情報を有するコンテンツ画像２００の表示部１への表示を開始し（ステップＳ１０６）、その後、処理をステップＳ１１２に移す。
【０１２２】
一方、ステップＳ１０３において、未だ目的地に来て居ないと判定した場合（ステップＳ１０３：Ｎｏ）、ＣＰＵ４０は、例えばユーザ１００から関連付け情報を有するコンテンツ画像２００の表示部１への表示指示があるか否かを判定し（ステップＳ１０４）、表示指示がある場合（ステップＳ１０４：Ｙｅｓ）、目的地に居ることを判定したときと同じように処理をステップＳ１０６に移し、その後、処理をステップＳ１１２に移す。なお、コントロールユニット３に図示しない操作部を設けており、例えば、この操作部への所定操作があったとき、ＣＰＵ４０は、関連付け情報を有するコンテンツ画像２００の表示部１への表示指示があったと判定する。また、「目的地のコンテンツ情報」に関連付け情報を有するコンテンツ情報が１つしか含まれていないとき、ＣＰＵ４０は、関連付け情報を有するコンテンツ画像２００を表示部１へ表示する契機になったと判定して、処理をステップＳ１０４に移してもよい。
【０１２３】
このステップＳ１０４→ステップＳ１０６の処理により、例えば目的地には居なくても、まもなく到着するような地点などであれば、ユーザ１００は「ＣＣＤカメラ２で撮像するのに最適な位置（撮像位置エリア）を示す情報」などの関連付け情報を有するコンテンツ画像２００を表示させながら目的地に向かうことができる。
【０１２４】
ステップＳ１０４において、関連付け情報を有するコンテンツ画像２００の表示部１への表示指示がない場合（ステップＳ１０４：Ｎｏ）、ＣＰＵ４０は処理をステップＳ１０５に移す。ステップＳ１０５では、通常のコンテンツ画像の表示指示があるか否かを判定する。この通常のコンテンツ画像は、例えば、映画や音楽プロモーションなどのコンテンツ情報であり、目的地のコンテンツ情報のように関連付け情報を有するものではない。なお、この通常のコンテンツ画像は、例えば、所定のインターネットサイトからダウンロードしてフラッシュＲＯＭ４２に予め記憶されている。
【０１２５】
表示指示がある場合（ステップＳ１０５：Ｙｅｓ）、ＣＰＵ４０は、通常のコンテンツ画像の表示を開始し（ステップＳ１０７）、その後、処理をステップＳ１１２に移す。他方、表示指示がない場合（ステップＳ１０５：Ｎｏ）は処理をステップＳ１０３に戻す。
【０１２６】
ステップＳ１０２において、関連付け情報を有するコンテンツ画像を表示中である場合（コンテンツ情報に関連付け情報が含まれている場合）に実行されるステップＳ１０８の処理では、目的地に居るか否かが判定され、目的地に居ないと判定された場合（ステップＳ１０８：Ｎｏ）、ＣＰＵ４０は処理をステップＳ１１２に移す。
【０１２７】
一方、目的地に居ると判定された場合（ステップＳ１０８：Ｙｅｓ）、撮像処理が実行される（ステップＳ１０９）。
【０１２８】
この撮像処理について説明すると、図１１に示すように、ＣＰＵ４０は、先ず、ＣＣＤカメラ２の手動撮像開始トリガーが検知されたか否かを判定する（ステップＳ２０１）。
【０１２９】
ＣＰＵ４０は、手動撮像開始トリガーを検知すると（ステップＳ２０１：Ｙｅｓ）、ＣＣＤカメラ２のシャッタを切って撮像する（ステップＳ２０２）。そして、ＣＰＵ４０は、撮像した画像のデータに撮像位置を示す情報を付してＲＡＭ４３に一時記憶させる。ここで、手動撮像開始トリガーとは、手動撮像モードで撮像を行うためのトリガーであり、ＣＣＤカメラ２に設けられたシャッタボタン（図示せず）の押し操作を検出した信号である。
【０１３０】
ステップＳ２０１において手動撮像開始トリガーが検知されない場合（ステップＳ２０１：Ｎｏ）、ＣＰＵ４０は、ステップＳ２０３において、自動撮像開始の条件を満たしたか否かを判定する。すなわち、現在表示部１により表示されているコンテンツ画像２００に対応する関連付け情報に、「ＣＣＤカメラ２で撮像するのに最適な位置（撮像位置エリア）を示す情報」（すなわち、「撮像位置の条件」）が含まれており、その情報が、現在のＨＭＤの位置の情報（ユーザ１００が居る位置情報）と一致するか否かで自動撮像モードになったか否かを判定する。なお、現在のＨＭＤの位置の情報の取得は、先のステップＳ１０３の処理で説明した「目的地に居るか否かの判定処理」と同じ処理である。
【０１３１】
そして、自動撮像条件を満たした場合（ステップＳ２０３：Ｙｅｓ）、自動撮像条件を満たした場合、すなわち、ＣＰＵ４０は、自動撮像モードに移行し、ユーザ１００の視線方向を検出してユーザ１００が所定の方向を所定時間（例えば３秒）見つめた場合にシャッタを切って撮像する（ステップＳ２０４）。ＣＰＵ４０は撮像した画像をＲＡＭ４３に一時記憶させる。なお、この「所定の方向」は、ＣＣＤカメラ２の撮像範囲内の方向であり、検出したユーザ１００の視線方向に応じてＣＣＤカメラ２の焦点位置を決定し、焦点調整（フォーカス調整）をしても良い。
【０１３２】
このステップＳ２０４の処理の後、あるいはステップＳ２０３で自動撮像開始の条件を満たしていないと判定した場合、ＣＰＵ４０はこの撮像処理を終了してステップＳ１１０に処理を移す。
【０１３３】
図１０に戻って説明を続ける。撮像処理を終えると、ＣＰＵ４０は、ステップＳ１１０において、撮像した画像があるか否かを判定する。
【０１３４】
撮像した画像がない場合（ステップＳ１１０：Ｎｏ）は処理をステップＳ１１２に移す一方、撮像した画像があると判定した場合（ステップＳ１１０：Ｙｅｓ）、すなわち前述したステップＳ１０９の撮像処理（図１１）で撮像した画像があれば、ＣＰＵ４０は、処理をステップＳ１１１に移す。
【０１３５】
ステップＳ１１１において、ＣＰＵ４０は、現在表示部１により表示されているコンテンツのコンテンツ情報に関連付けてステップＳ１０９で撮像された画像のデータをフラッシュＲＯＭ４２に記憶（保存）する。例えば、コンテンツとなる旅行ガイドのコンテンツ画像２００におけるどの代表画像欄２０１に対応する画像欄３０１に表示すべき撮像画像であるかが識別できるように固有のファイル名を付けるというように、コンテンツ情報に関連付けてフラッシュＲＯＭ４２に記憶し、その後ステップＳ１１２に処理を移すことになる。
【０１３６】
ステップＳ１１２では、ＣＰＵ４０はコンテンツ（旅行ガイド）の表示が終了したか否かを判定し、終了していなければ（ステップＳ１１２：Ｎｏ）処理をステップＳ１０２に戻し、このステップＳ１０２〜ステップＳ１１１までの処理を繰り返すことになる。一方、終了している場合（ステップＳ１１２：Ｙｅｓ）、本メイン制御処理を終了する。
【０１３７】
なお、ステップＳ１１０において、ステップＳ１０９で撮像された画像があると判定した場合（ステップＳ１１０：Ｙｅｓ）、上述のステップＳ１１１に処理の前に、ステップＳ１０９で撮像された画像をコンテンツ（旅行ガイド）と関連付けて表示部１に表示するようにしてもよい。このようにすることで、ユーザ１００は、手動撮像あるいは自動撮像した画像を確認することができる。また、その際、ステップＳ１０９で撮像された画像を記憶（保存）するか否かをユーザ１００に選択させるようにしてもよい。例えば、ＣＰＵ４０は、表示部１にステップＳ１０９で撮像された画像を保存するか否かを選択させる情報を表示し、コントロールユニット３に設けた図示しない選択ボタンへのユーザ１００の操作に応じて、ステップＳ１１１へ移行するか、ステップＳ１０９で撮像された画像を消去するかを判断して実行する。このようにすることで、撮像失敗と思われるような画像があれば、所定の操作によってその画像を消去することができる。
【０１３８】
ところで、撮像画像として静止画像を例に挙げて説明してきたが、動画像を撮像画像として自動撮像する場合、その撮像開始と終了のタイミングは、例えば、撮像位置が「ＣＣＤカメラ２で撮像するのに最適な位置（撮像位置エリア）を示す情報」に合致したときから予め定めた所定時間であったり、この撮像位置エリアに止まっている間は撮像を継続したりするなどが考えられる。
【０１３９】
また、上述してきた実施形態では、コンテンツ情報に含まれたＣＣＤカメラ２による「撮像位置の条件」を充足するか否かを判定する際に、ＣＣＤカメラ２による撮像位置を特定する情報を、ＧＰＳ機能によって取得した現在位置の緯度及び経度の情報、若しくはＩＣタグ８３０から検出したタグ情報としたが、そのほかにも次のようにして判定することができる。
【０１４０】
例えば、図１０のステップＳ１０３や、ステップＳ１０９、あるいは図１１のステップＳ２０４の判定処理において、制御部３０は、ＣＣＤカメラ２で撮像された画像に所定画像が含まれているときに、当該画像を、撮像位置を特定する情報として検出して、この情報がコンテンツの代表画像欄２０１にある画像と関連する情報（撮像位置を特定する情報）として満足するか否かを判定するのである。かかる判定は、例えば手動で撮像した場合に、その撮像画像が関連付け情報に含まれる撮像位置の条件を満たしているか否かを後に判定する場合や、ＣＣＤカメラ２がビデオカメラとして用いられている場合に特に有用である。
【０１４１】
こうして、旅行ガイドとして表示部１により表示されるコンテンツ情報に含まれる関連付け情報にしたがってＣＣＤカメラ２で撮像した画像のデータを、前記コンテンツ情報に関連付けてフラッシュＲＯＭ４２に記憶しておくことで、例えば旅行を終えた後、ユーザ１００は、図８や図９で示した態様の旅行電子アルバムを簡単に作成することができる。
【０１４２】
なお、目的地のコンテンツ情報には、上記関連付け情報を有するコンテンツ情報以外のコンテンツ情報を含ませるようにしてもよい。例えば、目的地への道順などの他、単に通過点となる土地の紹介や、目的地までの移動方法などの説明などが表示されるコンテンツ情報（ルートガイドコンテンツの情報）を目的地のコンテンツ情報に含ませることができ、この場合には、ＣＰＵ４０は、目的地のコンテンツ情報をダウンロードしたときやユーザ１００による操作部（図示せず）への所定の操作により、このルートガイドコンテンツ情報を表示することができる。
【０１４３】
［５．第２の実施形態］
上述してきた第１の実施形態では、ＨＭＤを旅行に用いる場合として説明したが、例えば工場査察などに用いることもできる。
【０１４４】
すなわち、所定の工場の稼働状態を査察する場合、予め訪れるべき製造ライン、写真で残すべき撮像対象などの情報を記録した査察モードのコンテンツ情報を作成し、これをフラッシュＲＯＭ４２に記憶させたＨＭＤを装着して工場査察を行うのである。
【０１４５】
ＨＭＤ側では、コンテンツ情報に含まれる関連情報に従って、撮像対象などを自動的に検出してこれを撮像し、これをコンテンツ情報と関連付けて記憶するのである。そして、査察終了後は、記憶された撮像画像を用い、査察モードのコンテンツ情報と関連付けた所定のフォーマットからなる査察レポートを簡単に作成することができる。
【０１４６】
図１２は、本ＨＭＤを工場査察に利用した査察モードにおける制御部３０の処理の流れを示す説明図である。図示するように、ＣＰＵ４０は、先ず、査察モードの目的地（査察対象となる工場など）に対応したコンテンツ情報をロードする。すなわち、パーソナルコンピュータなどから査察モードのコンテンツ情報を読み込んでフラッシュＲＯＭ４２に記憶する（ステップＳ３０１）。この査察モードのコンテンツ情報は、撮像対象となる製造ライン毎のコンテンツ情報を含んで構成され、この製造ライン毎のコンテンツ情報には撮像対象となる製造ラインの画像や説明文などのほか、上記目的地のこのコンテンツ情報と同様に関連付け情報が含まれている。
【０１４７】
この査察モードのコンテンツ情報のフラッシュＲＯＭ４２への記憶が終了すると、ＣＰＵ４０は、撮像対象となる製造ラインのコンテンツの画像（以下、「撮像対象のコンテンツ画像」とも呼ぶ）が表示部１により表示されているか否かを判定する（ステップＳ３０２）。
【０１４８】
撮像対象のコンテンツ画像は、後述するステップＳ３０６で表示開始されるもので、査察モードの目的地に対応したコンテンツ情報をロードした直後では、このステップＳ３０２での判断はＮｏとなり、ＣＰＵ４０は、処理をステップＳ３０３に移す。
【０１４９】
他方、ステップＳ３０２において、撮像対象のコンテンツ画像を表示中であると判定した場合（ステップＳ３０２：Ｙｅｓ）、ＣＰＵ４０は処理をステップＳ３０８に移す。
【０１５０】
ステップＳ３０３において、ＣＰＵ４０は撮像対象である製造ラインに居るか否かを判定する。すなわち、ユーザ１００が装着しているＨＭＤの現在位置の情報、すなわちＧＰＳ機能により経度及び緯度の情報を取得するか、あるいは製造ラインに設置されているＩＣタグから無線タグ情報を検出するかして、それらの情報とコンテンツに含まれた対象となる製造ラインの位置情報とを比較して、ユーザ１００が撮像対象の製造ラインに居るか否かを判定するのである。
【０１５１】
ステップＳ３０３において、撮像対象の製造ラインに居ると判定した場合（ステップＳ３０３：Ｙｅｓ）、ＣＰＵ４０は、撮像対象となる製造ラインの画像が含まれたコンテンツ画像の表示部１による表示を開始し（ステップＳ３０６）、次いで処理をステップＳ３１４に移す。
【０１５２】
一方、未だ製造ラインに来て居ないと判定した場合は（ステップＳ３０３：Ｎｏ）、ＣＰＵ４０は、例えばユーザ１００から撮像対象のコンテンツ画像の表示部１への表示指示があるか否かを判定し（ステップＳ３０４）、表示指示がある場合（ステップＳ３０４：Ｙｅｓ）、撮像対象の製造ラインに居ると判定したときと同じように処理をステップＳ３０６に移し、その後、処理をステップＳ３１４に移す。なお、コントロールユニット３に図示しない操作部を設けており、例えば、この操作部への所定操作があったとき、ＣＰＵ４０は、撮像対象のコンテンツ画像の表示部１への表示指示があったと判定する。
【０１５３】
このステップＳ３０４→ステップＳ３０６の処理により、例えば撮像対象の製造ラインには居なくても、まもなく到着するような場合であれば、ユーザ１００はＣＣＤカメラ２を用いて撮像しなければならない製造ラインを示す情報を有する撮像対象のコンテンツ画像を表示させながら撮像対象の製造ラインに向かうことができる。
【０１５４】
ステップＳ３０４において、査察モードのコンテンツ画像の表示部１への表示指示がない場合（ステップＳ３０４：Ｎｏ）、ＣＰＵ４０は処理をステップＳ３０５に移す。ステップＳ３０５では、通常のコンテンツ画像の表示指示があるか否かを判定する。この通常のコンテンツ画像は、例えば、査察用の資料データや一般的な査察のマニュアルなどのコンテンツ情報であり、撮像対象となる製造ライン毎のコンテンツ情報のように関連付け情報を有するものではない。なお、この通常のコンテンツ画像は、例えば、会社内のコンピュータからダウンロードしてフラッシュＲＯＭ４２に予め記憶されている。
【０１５５】
表示指示がある場合（ステップＳ３０５：Ｙｅｓ）、ＣＰＵ４０は、通常のコンテンツ画像の表示を開始し（ステップＳ３０７）、その後、処理をステップＳ３１４に移す。他方、表示指示がない場合（ステップＳ３０５：Ｎｏ）は処理をステップＳ３０３に戻す。
【０１５６】
ステップＳ３０２において、撮像対象のコンテンツ画像を表示中である場合に実行されるステップＳ３０８の処理では、撮像対象である製造ラインに居るか否かが判定され、未だ製造ラインに来て居ないと判定された場合（ステップＳ３０８：Ｎｏ）、ＣＰＵ４０は処理をステップＳ３１４に移す。
【０１５７】
一方、撮像対象である製造ラインに居ると判定された場合（ステップＳ３０８：Ｙｅｓ）、ＣＰＵ４０は、撮像開始条件が満たされているか否かを判定する（ステップＳ３０９）。すなわち、ＣＰＵ４０は、ユーザ１００の視線方向を検出し、ユーザ１００が所定方向を所定時間（例えば３秒）見つめたと判定した場合に（ステップＳ３０９：Ｙｅｓ）、ＣＣＤカメラ２により撮像対象であるラインを撮像する（ステップＳ３１０）。撮像開始条件が満たされていない場合（ステップＳ３０９：Ｎｏ）、ＣＰＵ４０は処理をステップＳ３１４に移す。なお、この「所定の方向」は、ＣＣＤカメラ２の撮像範囲内の方向であり、検出したユーザ１００の視線方向に応じてＣＣＤカメラ２の焦点位置を決定し、焦点調整（フォーカス調整）をしても良い。
【０１５８】
ステップＳ３１０の後、ＣＰＵ４０は、撮像した画像を表示中の査察モードのコンテンツ情報に関連付けて撮像した画像のデータをフラッシュＲＯＭ４２に保存する（ステップＳ３１１）。
【０１５９】
次いで、ＣＰＵ４０は、当該撮像対象の撮像が終了したかを判定し（ステップＳ３１２）、まだ終了していないと判定した場合（ステップＳ３１２：Ｎｏ）は直接、終了したと判定した場合は（ステップＳ３１２：Ｙｅｓ）、撮像対象のコンテンツ画像の表示を終了して（ステップＳ３１３）、処理をステップＳ３１４に移す。
【０１６０】
ステップＳ３１４において、ＣＰＵ４０は、査察モードが終了したか否かを判定し、終了していなければ（ステップＳ３１４：Ｎｏ）処理をステップＳ３０２に戻し、このステップＳ３０２〜ステップＳ３１３までの処理を繰り返す。一方、終了している場合（ステップＳ３１４：Ｙｅｓ）、本査察モード処理を終了する。
【０１６１】
本発明を、上述してきた実施形態を通して説明したが、本実施形態によれば、以下の効果が期待できる。
【０１６２】
（１）コンテンツ情報に応じた画像光５００をユーザ１００の眼１０１に入射させ、当該ユーザ１００に前記画像光５００に応じたコンテンツ画像２００を視認させる表示部１（表示手段）を備えたＨＭＤ（ヘッドマウントディスプレイ）において、ＣＣＤカメラ２（撮像手段）と、前記コンテンツ情報を記憶するフラッシュＲＯＭ４２（記憶手段）と、前記コンテンツ情報に含まれる関連付け情報に従って前記ＣＣＤカメラ２で撮像した画像のデータを前記コンテンツ情報に関連付けて前記フラッシュＲＯＭ４２に記憶する制御部３０（記憶制御手段）と、を備える構成としたため、例えば、表示されたコンテンツ画像２００を雛型とした新たなオリジナルコンテンツを容易に作成することが可能となる。すなわち、雛型となるコンテンツが旅行ガイドなどであれば、新たなコンテンツとしては旅行アルバムなどが、雛型となるコンテンツが何等かの査察用コンテンツであれば、新たなコンテンツとして査察レポートなどが、それぞれ容易に作成可能となる。
【０１６３】
（２）上記制御部３０が、関連付け情報に前記ＣＣＤカメラ２による撮像位置の条件が含まれているか否かを判定する条件有無判定手段と、前記ＣＣＤカメラ２による撮像位置を特定する情報を検出する検出手段と、前記検出手段による検出結果に基づいて前記ＣＣＤカメラ２による撮像位置が前記撮像位置の条件を満たすか否かを判定する条件充足判定手段として機能し、当該制御部３０が、前記撮像位置の条件を満たすと判定したときに撮像された画像のデータを前記コンテンツ情報に関連付けて前記フラッシュＲＯＭ４２に記憶するようにしたため、ユーザ１００がいちいち考えたりする必要無く、必要な画像が自動的に保存され、ユーザ１００の手間が大きく軽減される。
【０１６４】
（３）上記制御部３０は、現在位置の緯度及び経度の情報を前記撮像位置を特定する情報として検出するＧＰＳ受信部６１０（位置検出手段）を有する構成としたため、検出手段として機能する際にＣＣＤカメラ２による撮像位置を正確に得ることができる。
【０１６５】
（４）上記制御部３０は、無線タグ情報を前記撮像位置を特定する情報として検出するタグリーダを含むこととしたため、検出手段として機能する際にＣＣＤカメラ２による撮像位置を正確に得ることができる。
【０１６６】
（５）上記制御部３０は、前記ＣＣＤカメラ２で撮像された画像に所定画像が含まれているときに、当該画像を前記撮像位置を特定する情報として検出することとしたため、例えば手動で撮像した場合、その撮像画像が関連付け情報に含まれる撮像位置の条件を満たしているか否かを後に判定する場合や、ＣＣＤカメラ２がビデオカメラとして用いられている場合に有用となる。
【０１６７】
（６）上記ＣＣＤカメラ２はユーザ１００の視野範囲を撮像するものであり、さらに、ユーザ１００の視線方向を検出する視線方向検出手段を制御部３０とともに構成するＣＣＤカメラ９６と、その視線方向の検出結果に応じて、前記ＣＣＤカメラ２によりユーザ１００の視野範囲の撮像を行わせる撮像制御手段としての機能を制御部３０が担うようにしているため、所望する対象を簡単に自動撮像することができる。
【０１６８】
（７）上記制御部３０は、ＣＣＤカメラ２により撮像されて前記コンテンツ情報に関連付けられた画像を、当該コンテンツ情報に応じた画像と合成して前記表示部１により表示させる表示制御手段としての機能を担うようにしたため、ユーザ１００は、例えば旅行を終えた後であれば旅行電子アルバムを、査察を終えた後であれば査察レポートを容易に作成することができる。
【０１６９】
（８）前記表示部１は、ユーザ１００に前記画像光５００に応じたコンテンツ画像２００を外景と重ねて視認させるシースルー型であるため、当該ＨＭＤを装着したままでも何ら支障なく移動したりすることができる。したがって、ＨＭＤを装着したままでの旅行や査察などを行うのに問題がない。
【０１７０】
以上、各実施形態を通して本発明を説明してきたが、本発明はこれらに限定されるものではない。また、上述した各効果は、本発明から生じる最も好適な効果を列挙したに過ぎず、本発明による効果は、本実施の形態に記載されたものに限定されるものではない。
【符号の説明】
【０１７１】
１  表示部
２  ＣＣＤカメラ
３  コントロールユニット
３０  制御部
３１  主コントローラ
４０  ＣＰＵ
４２  フラッシュＲＯＭ
９６  ＣＣＤカメラ
１００  ユーザ
２００  コンテンツ画像
４００  外光
５００  画像光
【図１】
2010213214.tif 000003
【図２】
2010213214.tif 000004
【図３】
2010213214.tif 000005
【図４】
2010213214.tif 000006
【図５】
2010213214.tif 000007
【図６】
2010213214.tif 000008
【図７】
2010213214.tif 000009
【図８】
2010213214.tif 000010
【図９】
2010213214.tif 000011
【図１０】
2010213214.tif 000012
【図１１】
2010213214.tif 000013
【図１２】
2010213214.tif 000014